(57)【要約】【課題】医療機関側に設置された医用装置の表示装置に表示される医用情報を医療機関外に設置された表示装置にも表示させる場合に、簡易に個人情報を秘匿することが可能な医用情報表示システムを提供することである。【解決手段】実施形態に係る医用情報表示システムは、医用情報取得部、表示情報生成部及び表示情報出力部を備える。医用情報取得部は、個人情報を含む医用情報を取得する。表示情報生成部は、前記医用情報のうち特定の個人情報が秘匿された状態で、指定された医用情報を表示させるための表示情報を生成する。表示情報出力部は、前記表示情報を指定された表示装置に出力する。【選択図】  図１
2014160368.tif 000002
【特許請求の範囲】
【請求項１】
個人情報を含む医用情報を取得する医用情報取得部と、
前記医用情報のうち特定の個人情報が秘匿された状態で、指定された医用情報を表示させるための表示情報を生成する表示情報生成部と、
前記表示情報を指定された表示装置に出力する表示情報出力部と、
を備える医用情報表示システム。
【請求項２】
個人情報を含む医用情報を取得する医用情報取得部と、
前記医用情報のうち指定された個人情報を含む指定された医用情報を表示させるための第１の表示情報及び特定の個人情報が秘匿された状態で前記指定された医用情報を表示させるための第２の表示情報を生成する表示情報生成部と、
前記第１の表示情報を第１の表示装置に出力する一方、前記第２の表示情報を第２の表示装置に出力する表示情報出力部と、
を備える医用情報表示システム。
【請求項３】
前記表示情報生成部は、前記特定の個人情報を表示させるための文字の色の特定情報及び前記文字の背景の色の特定情報を取得し、前記文字の色及び前記文字の背景の色の少なくとも一方を変更する表示処理を実行することによって、前記文字の色と前記文字の背景の色とを同一の色で表示させる表示情報を、前記特定の個人情報が秘匿された状態で指定された医用情報を表示させるための表示情報として生成するように構成される請求項１又は２記載の医用情報表示システム。
【請求項４】
前記表示情報生成部は、前記特定の個人情報を表示させるための文字の視認性が低減されるように予め決定された色を、表示情報の表示領域全体に重畳させる処理を実行することによって、前記特定の個人情報が秘匿された状態で指定された医用情報を表示させるための表示情報を生成するように構成される請求項１又は２記載の医用情報表示システム。
【請求項５】
前記表示情報生成部は、前記特定の個人情報を表示させるための情報を削除する処理を実行することによって、前記特定の個人情報が秘匿された状態で指定された医用情報を表示させるための表示情報を生成するように構成される請求項１又は２記載の医用情報表示システム。
【請求項６】
前記表示情報生成部は、重畳させた場合に、第１の色で表示されるように指定された背景に対して第２の色で表示されるように指定された前記文字の視認性が損なわれる関係にある第３の色を前記表示領域全体に重畳させる処理を実行するように構成される請求項４記載の医用情報表示システム。
【請求項７】
前記表示情報生成部は、前記第１の色を黒色系、前記第２の色を緑色系、前記第３の色を赤色系として前記第３の色を重畳させる処理又は前記第１の色を白色系、前記第２の色を赤色系、前記第３の色を赤色系として前記第３の色を重畳させる処理を実行するように構成される請求項６記載の医用情報表示システム。
【請求項８】
前記表示情報出力部は、入力装置からの指示情報に従って前記第２の表示装置に出力される情報を、前記第２の表示情報と前記第１の表示情報との間で切換えることができるように構成される請求項２記載の医用情報表示システム。
【請求項９】
被検体のイメージングを実行する撮像系と、
前記イメージングに関する個人情報を含む医用情報を取得する医用情報取得部と、
前記医用情報のうち指定された個人情報を含む指定された医用情報を表示させるための第１の表示情報及び特定の個人情報が秘匿された状態で前記指定された医用情報を表示させるための第２の表示情報を生成する表示情報生成部と、
前記第１の表示情報を第１の表示装置に出力する一方、前記第２の表示情報を第２の表示装置に出力する表示情報出力部と、
を備える画像診断装置。
【請求項１０】
コンピュータを、
個人情報を含む医用情報を取得する医用情報取得部、
前記医用情報のうち特定の個人情報が秘匿された状態で、指定された医用情報を表示させるための表示情報を生成する表示情報生成部、及び
前記表示情報を指定された表示装置に出力する表示情報出力部、
として機能させる医用情報表示プログラム。
【発明の詳細な説明】
【技術分野】
【０００１】
本発明の実施形態は、医用情報表示システム、医用情報表示プログラム及び画像診断装置に関する。
【背景技術】
【０００２】
従来、X線CT (computed tomography)装置や磁気共鳴イメージング(MRI: Magnetic Resonance Imaging）等の医用装置から離れた場所から医用装置のオペレータに対して医用装置の操作方法を指導するシステムが提案されている。このシステムは、病院等の医療機関側に設置される医用装置と、サービスセンタ側に設置されるサーバとをネットワークで接続することによって構成される。このため、医療機関側における医用装置のコンソールに表示される医用情報と同一の医用情報を、サービスセンタ側におけるモニタ上にも表示させることができる。従って、サービスセンタ側からの遠隔操作による医用装置の修理やメンテナンスへの応用も期待される。
【先行技術文献】
【特許文献】
【０００３】
【特許文献１】特開２００２−３０６４５１号公報
【発明の概要】
【発明が解決しようとする課題】
【０００４】
しかしながら、従来のシステムでは、医療機関側のコンソールに表示されている患者の氏名、年齢、病状等の個人情報がサービスセンタ側におけるコンソールにも表示されることとなる。この結果、サービスセンタ側のコンソールを操作するサービスマンに、個人情報が漏洩されてしまうという問題がある。
【０００５】
本発明は、医療機関側に設置された医用装置の表示装置に表示される医用情報を医療機関外に設置された表示装置にも表示させる場合に、簡易に個人情報を秘匿することが可能な医用情報表示システム、医用情報表示プログラム及び画像診断装置を提供することを目的とする。
【課題を解決するための手段】
【０００６】
本発明の実施形態に係る医用情報表示システムは、医用情報取得部、表示情報生成部及び表示情報出力部を備える。医用情報取得部は、個人情報を含む医用情報を取得する。表示情報生成部は、前記医用情報のうち特定の個人情報が秘匿された状態で、指定された医用情報を表示させるための表示情報を生成する。表示情報出力部は、前記表示情報を指定された表示装置に出力する。
また、本発明の実施形態に係る医用情報表示システムは、医用情報取得部、表示情報生成部及び表示情報出力部を備える。医用情報取得部は、個人情報を含む医用情報を取得する。表示情報生成部は、前記医用情報のうち指定された個人情報を含む指定された医用情報を表示させるための第１の表示情報及び特定の個人情報が秘匿された状態で前記指定された医用情報を表示させるための第２の表示情報を生成する。表示情報出力部は、前記第１の表示情報を第１の表示装置に出力する一方、前記第２の表示情報を第２の表示装置に出力する。
また、本発明の実施形態に係る画像診断装置は、撮像系、医用情報取得部、表示情報生成部及び表示情報出力部を備える。撮像系は、被検体のイメージングを実行する。医用情報取得部は、前記イメージングに関する個人情報を含む医用情報を取得する。表示情報生成部は、前記医用情報のうち指定された個人情報を含む指定された医用情報を表示させるための第１の表示情報及び特定の個人情報が秘匿された状態で前記指定された医用情報を表示させるための第２の表示情報を生成する。表示情報出力部は、前記第１の表示情報を第１の表示装置に出力する一方、前記第２の表示情報を第２の表示装置に出力する。
また、本発明の実施形態に係る医用情報表示プログラムは、コンピュータを、医用情報取得部、表示情報生成部及び表示情報出力部として機能させる。医用情報取得部は、個人情報を含む医用情報を取得する。表示情報生成部は、前記医用情報のうち特定の個人情報が秘匿された状態で、指定された医用情報を表示させるための表示情報を生成する。表示情報出力部は、前記表示情報を指定された表示装置に出力する。
【図面の簡単な説明】
【０００７】
【図１】本発明の第１の実施形態に係る医用情報表示システムの構成図。
【図２】図１に示す医用システムの第１の表示装置に表示される個人情報が秘匿されていない第１の表示情報の一例を示す図。
【図３】図２に示す第１の表示情報から秘匿対象となる文字を秘匿した第２の表示情報の一例を示す図。
【図４】本発明の第２の実施形態に係る画像診断装置の構成図。
【発明を実施するための形態】
【０００８】
本発明の実施形態に係る医用情報表示システム、医用情報表示プログラム及び画像診断装置について添付図面を参照して説明する。
【０００９】
（第１の実施形態）
図１は本発明の第１の実施形態に係る医用情報表示システムの構成図である。
【００１０】
医用情報表示システム１は、ネットワーク２を介して画像診断装置３Ａ等の単一又は複数の所望の医用システム３と接続される。画像診断装置３Ａ等の各医用システム３は、病院等の医療機関側に設置される。このため、各医用システム３は、LAN (Local Area Network)等の院内ネットワーク２Ａによって互いに接続される。
【００１１】
画像診断装置３Ａの例としては、超音波診断装置、X線CT装置、MRI装置、陽電子放出コンピュータ断層(PET: positron emission computed tomography)装置や単光子放出コンピュータ断層(SPECT: single photon emission computed tomography)装置等の核医学診断装置及びX線診断装置などが挙げられる。また、画像診断装置３Ａ以外の医用システム３の例としては、病院情報システム(HIS: hospital information system)、放射線情報システム(RIS: radiology information system)、医用画像保管通信システム(PACS: picture archiving and communication system)、臨床検査情報システム（LIS: Laboratory Information System）などが挙げられる。
【００１２】
各医用システム３には、それぞれ第１のコンソール４が設けられる。第１のコンソール４には、第１の入力装置４Ａ及び第１の表示装置４Ｂが備えられる。また、医用システム３が画像診断装置３Ａである場合には、被検体のイメージングを実行する撮像系４Ｃが医用システム３に備えられる。第１のコンソール４では、各医用システム３に応じた検査の予約、検査データの管理、撮像系４Ｃの操作等の所望の操作を行うことができる。
【００１３】
一方、医療機関に対して医用システム３に関する技術的なサービスを行うサービスセンタ側に端末５が設置される。サービスセンタ側の端末５には、第２のコンソール６が設けられる。第２のコンソール６には、第２の入力装置６Ａ及び第２の表示装置６Ｂが備えられる。そして、サービスセンタ側の端末５は、インターネットや専用ネットワーク等の広域ネットワーク２Ｂを通じて院内ネットワーク２Ａと接続される。従って、サービスセンタ側の端末５も、広域ネットワーク２Ｂ及び院内ネットワーク２Ａを介して医用情報表示システム１及び各医用システム３と接続される。
【００１４】
このため、第２のコンソール６を通じてサービスセンタ側から医療機関側における各医用システム３の遠隔操作を行うことができる。すなわち、第２の入力装置６Ａの操作によって所望の医用システム３に対して医用情報の送信要求を行い、送信要求に対する応答として医用システム３から送信された医用情報を第２の表示装置６Ｂに表示させることができる。更に、第２の表示装置６Ｂに表示された医用情報がユーザインターフェースである場合には、第２の表示装置６Ｂに表示された医用情報を通じた第２の入力装置６Ａの操作によって、ネットワーク２を通じて対応する医用システム３に必要な情報を入力することができる。従って、第２のコンソール６は、医用システム３のリモートコンソールとして機能する。
【００１５】
また、第２のコンソール６をリモートコンソールとする遠隔操作に必要な公知の機能が、遠隔操作の対象となる各医用システム３及びサービスセンタ側の端末５にそれぞれ備えられる。更に、遠隔操作のための必要な機能を備えた独立した遠隔操作システムをネットワーク２に接続してもよい。その場合、遠隔操作システムと医用情報表示システム１とを共通のシステムとしてもよい。
【００１６】
そして、サービスセンタ側における第２のコンソール６からの遠隔操作によって、所望の医用システム３の修理、メンテナンス、トラブル対応、操作指導等の様々な支援作業を行うことができる。
【００１７】
医用情報表示システム１は、医療機関側における遠隔操作の対象となる各医用システム３及びサービスセンタ側の端末５とデータ通信を行うことが可能な任意の場所に設置される。従って、図１には、医療機関側に医用情報表示システム１を設置して院内ネットワーク２Ａに接続した例が示されているが、医用情報表示システム１をサービスセンタ側又はその他の医療機関外の所望の場所に設置することができる。医用情報表示システム１が医療機関外に設置される場合には、広域ネットワーク２Ｂ及び院内ネットワーク２Ａを介して医用システム３及びサービスセンタ側の端末５と接続される。
【００１８】
医用情報表示システム１は、少なくとも医用情報取得部７、表示情報生成部８及び表示情報出力部９を有する。医用情報表示システム１は、入力装置１０及び表示装置１１を備えたコンピュータ１２に医用情報表示プログラムを読み込ませることによって構築することができる。医用情報表示プログラムは、コンピュータを医用情報取得部７、表示情報生成部８及び表示情報出力部９として機能させるためのプログラムである。この医用情報表示プログラムは、汎用コンピュータを医用情報表示システム１として利用できるように情報記録媒体に記録してプログラムプロダクトとして流通させることができる。もちろん、情報記録媒体を介さずにネットワーク２経由で医用情報表示プログラムをコンピュータにダウンロードすることもできる。
【００１９】
医用情報取得部７は、医用システム３からサービスセンタ側の端末５又は他の医用システム３を送信先として出力された医用情報を取得する機能を有する。医用情報としては、検査予約情報や診断情報等の各医用システム３で取り扱われる様々な情報が挙げられる。医用システム３が画像診断装置３Ａである場合には、検査予約情報の他、検査画像データ等のイメージングに関する情報も医用情報に含まれる。各医用情報には、通常、患者の氏名、性別、病状、検査に使用するモダリティ等の個人情報が含まれる。
【００２０】
表示情報生成部８は、医用情報取得部７において取得された医用情報のうち、表示対象として指定された医用情報を表示させるための第１の表示情報及び第２の表示情報を生成する機能を有する。第１の表示情報は、医用情報に含まれる個人情報を秘匿する必要のない表示装置に医用情報を表示させるための表示情報である。一方、第２の表示情報は、医用情報に含まれる個人情報を秘匿する必要がある表示装置又は秘匿することが望ましい表示装置に医用情報を表示させるための表示情報である。
【００２１】
従って、第１の表示情報は、医用情報のうち、指定された個人情報を含む指定された医用情報を表示させるための表示情報となる。一方、第２の表示情報は、特定の個人情報が秘匿された状態で指定された医用情報を表示させるための表示情報となる。
【００２２】
表示情報出力部９は、表示情報生成部８において生成された第１の表示情報を第１の表示装置４Ｂに出力する一方、表示情報生成部８において生成された第２の表示情報を第２の表示装置６Ｂに出力する機能を有する。
【００２３】
個人情報が開示される第１の表示情報の表示対象となる表示装置は、通常、医療機関側に設置される医用システム３の第１の表示装置４Ｂとなる。但し、医療機関側に設置される第１の表示装置４Ｂであっても、待合室や他の診療科等の個人情報が保護されるべき場所に設置される表示装置であれば、第１の表示情報の表示対象とせずに、第２の表示情報の表示対象とすることができる。逆に、医療機関外に設置される表示装置であっても、設置場所が血液の検査機関等の個人情報を参照することが必要な場所であれば、第１の表示情報の表示対象とすることができる。
【００２４】
一方、特定の個人情報が秘匿される第２の表示情報の表示対象となる表示装置は、通常、サービスセンタ側の第２の表示装置６Ｂ等の医療機関外に設置される表示装置となる。但し、上述のように、医療機関の内外に関わらず、表示装置の目的や設置場所に応じて第１の表示情報の表示対象となる表示装置と、第２の表示情報の表示対象となる表示装置とを予め決定しておくことができる。そして、予め決定した第１の表示情報の表示対象となる表示装置と、第２の表示情報の表示対象となる表示装置は、表示情報出力部９に保存しておくことができる。
【００２５】
従って、図示された例では、医療機関側における表示装置が第１の表示情報の出力先である第１の表示装置４Ｂとなっており、サービスセンタ側における表示装置が第２の表示情報の出力先である第２の表示装置６Ｂとなっているが、必要に応じて変更することが可能である。
【００２６】
また、一旦、決定された第１の表示情報の表示対象となる第１の表示装置４Ｂと、第２の表示情報の表示対象となる第２の表示装置６Ｂは、事後的に変更できるようにすることが利便性の向上に繋がる。そこで、表示情報出力部９を、入力装置１０からの指示情報に従って第２の表示装置６Ｂに出力される情報を、第２の表示情報と第１の表示情報との間で切換えることができるように構成することが望ましい。
【００２７】
次に、表示情報生成部８における、個人情報が秘匿されない第１の表示情報及び特定の個人情報が秘匿された第２の表示情報の生成方法について説明する。
【００２８】
図２は、図１に示す医用システム３の第１の表示装置４Ｂに表示される個人情報が秘匿されていない第１の表示情報の一例を示す図である。
【００２９】
図２は、患者の個人情報を入力する画面の一例を示している。図２に示すように、患者情報の登録画面には、患者の識別情報(ID: identification data)、氏名、身長、体重、性別、生年月日、検査日時、検査に使用するモダリティ、所見等の様々な入力欄が設けられる。このため、患者の氏名と他の情報が関連付けられることにより、患者情報の登録画面には個人情報が表示されることになる。
【００３０】
このようなユーザインターフェースを通じて医用システム３には、個人情報を含む医用情報が記録される。また、医用システム３が画像診断装置３Ａである場合には、患者の氏名と関連付けられた検査画像データや解析データ等の個人情報を含む医用情報を保存することもできる。そして、一旦、作成又は記録された医用情報は、様々なアプリケーションソフトウェアを起動させて表示させることができる。従って、医用システム３において作成又は保存された医用情報のうちアプリケーションソフトウェアに応じた欄に対応する医用情報が抽出されてアプリケーションソフトウェアに応じた位置に表示される。
【００３１】
従って、個人情報が秘匿されない第１の表示情報は、医用システム３において作成又は保存された医用情報のうち、指定された個人情報を含む指定された医用情報を表示させるための表示情報として生成することができる。すなわち、医用システム３において作成又は保存された医用情報からアプリケーションソフトウェアに応じた欄に対応する医用情報を抽出することによって第１の表示情報を生成することができる。従って、医用システム３において作成又は保存された医用情報の全てを表示させる欄が設けれた画面に、当該医用情報を表示させる場合には、作成又は保存された医用情報全体が指定された医用情報となる。
【００３２】
一方、第２の表示情報では、個人情報が秘匿される。個人情報を秘匿するためには、少なくとも患者の氏名を秘匿すればよい場合が多い。但し、氏名に限らず、身長、体重、病状、検査日時等の任意の情報を秘匿すべき個人情報に含めることができる。従って、第２の表示情報は、上述したように特定の個人情報が秘匿された状態で指定された医用情報を表示させるための表示情報となる。
【００３３】
そこで、表示情報生成部８では、特定の個人情報の視認性を低減又は消滅させるための表示処理が実行される。ここでは、特定の個人情報の視認性を低減又は消滅させるための表示処理として３通りの処理の例について説明する。
【００３４】
第１の例は、特定の個人情報を表示させるための文字の視認性が低減されるように予め決定された色を、第２の表示情報の表示領域全体に重畳させる処理を実行することによって第２の表示情報を生成するというものである。この表示領域全体に所定の色を重畳させる表示処理は、表示領域全体に対する一種のフィルタ処理ということもできる。
【００３５】
この場合、秘匿対象となる個人情報を表示させるための文字の色と、個人情報を表示させるための文字自体の背景の色がそれぞれ予め指定される。例えば、医用システム３にインストールされたアプリケーションソフトウェアの設定により、秘匿対象となる個人情報を表示させるための文字の表示色及び文字の背景の表示色が常に特定の表示色となるように設定される。
【００３６】
つまり、第１の色で表示されるように指定された背景に対して第２の色で秘匿対象となる文字が表示されるように指定される。尚、図２は、秘匿対象となる文字が、秘匿対象とならない文字と異なる色で表示されている状態を示している。そして、表示情報生成部８は、第３の色を第２の表示情報の表示領域全体に重畳させる処理を実行する。
【００３７】
ここで、第３の色は、表示領域全体に重畳させた場合に、第１の色で表示されるように指定された背景に対して第２の色で表示されるように指定された文字の視認性が損なわれる関係にある色に決定される。つまり、背景色である第１の色に第３の色を重畳させた色と、文字の色である第２の色に第３の色を重畳させた色とが、互いに区別が困難な程度に同等であれば、文字の視認性を十分に低減又は消滅させることができる。
【００３８】
典型的な例として、第１の色を黒色系、第２の色を緑色系、第３の色を赤色系として第３の色を重畳させる処理及び第１の色を白色系、第２の色を赤色系、第３の色を赤色系として第３の色を重畳させる処理が挙げられる。
【００３９】
図３は、図２に示す第１の表示情報から秘匿対象となる文字を秘匿した第２の表示情報の一例を示す図である。
【００４０】
第１、第２及び第３の色を適切な組合せの色に設定すると、図３に示すように秘匿すべき文字の色が文字の背景の色と同等となり、選択的に文字の視認を困難にすることができる。一方、秘匿対象とならない文字については、第３の色を重畳させても当該文字の背景色と異なる色となる。このため、秘匿対象とならない文字については、視認性を維持することができる。
【００４１】
例えば、第１の色を黒色系、第２の色を緑色系、第３の色を赤色系として第３の色を重畳させる処理を実行すれば、緑色の文字は視認できなくなる。これに対して、緑色ではない文字については視認性を維持することができる。また、第１の色を白色系、第２の色を赤色系、第３の色を赤色系として第３の色を重畳させる処理を実行すれば、赤色の文字は視認できなくなる。これに対して、赤色ではない文字については視認性を維持することができる。
【００４２】
尚、秘匿対象となる文字又は背景の第２又は第１の色を、少なくとも秘匿対象とならない文字又は背景の色と異なる色に指定し、表示情報生成部８が自動的に適切な第３の色を決定して重畳処理を実行するようにしてもよい。その場合には、表示情報生成部８が秘匿対象となる文字及び背景に対応する第１及び第２の色をそれぞれ示すRGB(red-green-blue)値等のカラー情報を医用情報から取得し、取得した２つのカラー情報に応じて第３の色を決定するように構成される。
【００４３】
表示情報生成部８が秘匿対象となる文字及び背景に対応する色の特定情報を医用情報から取得する場合には、秘匿対象となる文字及び背景の色を変更する表示処理を行うことも可能となる。従って、秘匿対象となる文字及び背景に対応する第１及び第２の色が適切な組合せでない場合や、秘匿対象となる文字及び背景の色と秘匿対象とならない文字及び背景の色とが互いに同様な色である場合には、表示情報生成部８が第１及び第２の色を適切な色の組合せに変更する処理を実行するようにしてもよい。この場合、第１の表示情報として視認性が良好な色で秘匿対象となる文字を表示させるための表示情報を生成する一方、第２の表示情報として秘匿対象となる文字の視認性が損なわれた表示情報を生成することができる。
【００４４】
次に、特定の個人情報の視認性を低減又は消滅させるための表示処理の第２の例及び第３の例について説明する。第２の例及び第３の例では、表示情報生成部８が特定の個人情報を表示させるための文字の色の特定情報及び文字の背景の色の特定情報を医用情報から取得する。
【００４５】
そして、第２の例は、表示情報生成部８が文字の色及び文字の背景の色の少なくとも一方を変更する表示処理を実行することによって、文字の色と文字の背景の色とを同一の色で表示させる第２の表示情報を生成するというものである。
【００４６】
上述のように、表示情報生成部８が秘匿対象となる文字及び背景に対応する色の特定情報を医用情報から取得する場合には、秘匿対象となる文字及び背景の色を変更する表示処理を行うことが可能となる。従って、表示領域全体にフィルタ処理を施すまでもなく、秘匿対象となる文字の色と、秘匿対象となる文字の背景の色とを、互いに同一にすることができる。この場合、秘匿対象とならない部分については表示処理の対象とならない。このため、秘匿対象とならない部分についての視認性を良好に維持することができる。
【００４７】
一方、第３の例は、表示情報生成部８が特定の個人情報を表示させるための情報を削除する処理を実行することによって第２の表示情報を生成するというものである。つまり、秘匿対象となる文字を出力対象から除外する表示処理が表示情報生成部８により実行される。従って、第３の例によって生成される第２の表示情報の表示結果は、第２の例によって生成される第２の表示情報の表示結果と同様となる。すなわち、秘匿対象となる文字が表示される欄に文字が表示されない画面が、第２の表示装置６Ｂに表示されることとなる。
【００４８】
つまり以上のような医用情報表示システム１は、第１の表示装置４Ｂには個人情報を含む医用情報を表示させる一方、個人情報を秘匿すべき第２の表示装置６Ｂでは個人情報を視認できないようにするシステムである。また、医用情報表示システム１は第２の表示装置６Ｂにおいて個人情報を秘匿するために、医用情報に含まれる個人情報を表示させるための文字の視認性を低減又は消滅させる表示処理を実行するようにしたものである。
【００４９】
このため、医用情報表示システム１によれば、第２の表示装置６Ｂを通じた遠隔操作及び第１の表示装置４Ｂを通じた医用情報の管理を可能としつつ、第２の表示装置６Ｂを利用するユーザに対して個人情報を秘匿することができる。従って、遠隔操作と個人情報の保護とを両立させることができる。すなわち、個人情報が秘匿された状態で遠隔操作を行うために、医療機関側においても個人情報の確認ができなくなるという事態や、逆に、医療機関側において個人情報を確認するために、遠隔操作を行うサービスセンタ側に個人情報が漏洩されてしまうという事態を回避することができる。
【００５０】
また、医用情報表示システム１では、個人情報の秘匿のための表示処理として、特定が不要な領域に単に色を重畳させるのみのフィルタ処理、特定の文字又は背景の色情報の変更処置或いは特定の文字情報を出力対象から除外する処理など、極めて簡易な処理が実行される。このため、個人情報の秘匿機能を容易に医療機関及びサービスセンタに導入することができる。
【００５１】
特に、アプリケーションソフトウエアの種類やバージョンによって表示対象となる個人情報の内容及び表示位置が異なる。従って、秘匿対象となる個人情報の表示領域のみをフィルタ処理によって非表示にする表示処理を行う場合には、アプリケーションソフトウェア毎かつバージョン毎に個人情報の表示内容を認識し、かつ異なる領域に専用のフィルタ処理を実行するシステムを構築することが必要となる。従って、非常に複雑な表示処理を実行するシステムが必要となる。しかも、アプリケーションソフトウェアのバージョンが更新されると、システムの更新も必要となる。
【００５２】
これに対して、医用情報表示システム１では、個人情報の表示位置や表示内容を元データとして利用しない表示処理によって個人情報を秘匿することができる。従って、アプリケーションソフトウエアの種類やバージョンの変更に関わらず、同一の表示処理によって目的とする個人情報のみを選択的に秘匿することが可能である。つまり、医用情報表示システム１を汎用的に活用することができる。そして、安価かつ簡易に不適切な個人情報の流出を防止することができる。
【００５３】
尚、医用情報表示システム１において生成される表示情報の出力先を、個人情報が秘匿される第２の表示装置６Ｂのみとしてもよい。その場合には、医用情報表示システム１において、個人情報が秘匿されない第１の表示情報を生成する機能及び生成した第１の表示情報を第１の表示装置４Ｂに出力する機能が省略される。すなわち、表示情報生成部８には、少なくとも医用情報取得部７において取得された個人情報を含む医用情報のうち特定の個人情報が秘匿された状態で、指定された医用情報を表示させるための表示情報を生成する機能が備えられる。一方、表示情報出力部９には、表示情報生成部８において生成された表示情報を第２の表示装置６Ｂとして指定された表示装置に出力する機能が備えられる。
【００５４】
この場合においても、医療機関内における医用システム３間における通信によって、ある医用システム３において作成又は記録された個人情報を含む医用情報を、他の医用システム３の第１の表示装置４Ｂに表示できるようにすることができる。
【００５５】
（第２の実施形態）
図４は本発明の第２の実施形態に係る画像診断装置の構成図である。
【００５６】
第２の実施形態では、医用情報表示システム１を画像診断装置３Ａに内蔵した点が第１の実施形態と相違する。他の構成および作用については第１の実施形態と実質的に異ならないため相違点のみ説明する。
【００５７】
第２の実施形態における画像診断装置３Ａには、第１の実施形態における医用情報表示システム１と同様な医用情報取得部７、表示情報生成部８及び表示情報出力部９を有する医用情報表示システム１が内蔵される。また、画像診断装置３Ａには、被検体のイメージングを実行する撮像系４Ｃが備えられる。そして、医用情報表示システム１の医用情報取得部７は、検査予約情報や撮像系４Ｃによって収集された画像データ等のイメージングに関する個人情報を含む医用情報を取得するように構成される。
【００５８】
また、表示情報出力部９は、表示情報生成部８において生成された個人情報が秘匿されない第１の表示情報を画像診断装置３Ａ自体の第１の表示装置４Ｂ及び他の医用システム３の第１の表示装置に出力する一方、個人情報が秘匿される第２の表示情報をネットワーク２を介して第２の表示装置６Ｂに出力するように構成される。
【００５９】
このため、第２の実施形態における画像診断装置３Ａによれば、第１の実施形態における医用情報表示システム１と同様な効果を得ることができる。加えて、個人情報が秘匿される第２の表示情報の出力先となる第２の表示装置６Ｂを適切に決定することにより、画像診断装置３Ａにおいて取得された医用情報に含まれる個人情報を一層確実に保護することが可能となる。また、特定の画像診断装置３Ａにおいて取得された医用情報に含まれる個人情報のみを選択的に特定の表示装置で秘匿することも可能となる。すなわち、医用情報表示システム１を内蔵する画像診断装置３Ａの選択や複数の画像診断装置３Ａに内蔵される各医用情報表示システム１に対応する第２の表示装置６Ｂの設定によって、画像診断装置３Ａごとに異なる個人情報の管理を行うことができる。
【００６０】
尚、医用情報表示システム１を画像診断装置３Ａ以外のHIS等の医用システム３に内蔵するようにしてもよい。従って、医用システム３ごとの個人情報の管理も可能である。
【００６１】
（他の実施形態）
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【００６２】
１  医用情報表示システム
２  ネットワーク
２Ａ  院内ネットワーク
２Ｂ  広域ネットワーク
３  医用システム
３Ａ  画像診断装置
４  第１のコンソール
４Ａ  第１の入力装置
４Ｂ  第１の表示装置
４Ｃ  撮像系
５  端末
６  第２のコンソール
６Ａ  第２の入力装置
６Ｂ  第２の表示装置
７  医用情報取得部
８  表示情報生成部
９  表示情報出力部
１０  入力装置
１１  表示装置
１２  コンピュータ
【図１】
2014160368.tif 000003
【図２】
2014160368.tif 000004
【図３】
2014160368.tif 000005
【図４】
2014160368.tif 000006